(57)【要約】  本発明は、同一セル内の同一の無線チャネル（周波数及び時間資源）を重畳割当てする無線環境で、基地局装置がセル内の各端末から２以上複数個のチャネル状態情報を報告されることにより、同一プリコーディング（Precoding）基盤のダウンリンク重畳割当伝送の向上を通して無線効率性及びセル容量を向上することができる基地局装置及び端末、並びに無線チャネル割当方法を提案する。
2018535567.tif 000002
【特許請求の範囲】
【請求項１】
チャネル状態情報（ＣＳＩ，Channel State Information）の個数を２以上に決定する決定部；
上記２以上のチャネル状態情報の個数をセル内の各端末に伝送する伝送部；
上記２以上のチャネル状態情報の個数に応じて上記セル内の各端末から上記２以上のチャネル状態情報を受信する受信部；
上記２以上のチャネル状態情報に基づいて同一のチャネル状態情報を有する端末をグループ化した端末グループを生成し、チャネル状態情報の個数が一つに決定された場合よりも多い数の端末が上記端末グループにグループ化されることができるようにする生成部；及び、
上記端末グループに属した各端末に対して同一の無線チャネルを割当てる割当部；を含むことを特徴とする基地局装置。
【請求項２】
上記２以上のチャネル状態情報に基づいて同一のチャネル状態情報を有する端末をグループ化した端末グループが生成される場合、チャネル状態情報の個数が一つに決定された場合と比較して、上記端末グループの個数、又は上記端末グループに属した端末の個数が多くなることを特徴とする請求項１に記載の基地局装置。
【請求項３】
上記２以上のチャネル状態情報それぞれは、
上記セル内に存在する多数の無線チャネルのうち上記セル内の各端末で測定した品質測定結果が閾値以上である少なくとも一部の無線チャネルそれぞれに関して生成されることを特徴とする請求項１に記載の基地局装置。
【請求項４】
上記２以上のチャネル状態情報それぞれは、
上記品質測定結果に関して、プリコード化マトリクス指標（ＰＭＩ，Precoding Matrix Index）及びチャネル品質指標（ＣＱＩ，Channel Quality Indicator）を含み、
上記端末グループに属した各端末は、
上記プリコード化マトリクス指標の値と、上記チャネル品質指標の値が互いに同一であることを特徴とする請求項３に記載の基地局装置。
【請求項５】
上記２以上のチャネル状態情報の個数は、
上記セル内に初期接続された各端末に対して上記基地局装置が伝送するＲＲＣ（Radio Resource Control）メッセージに含まれ、
上記２以上のチャネル状態情報は、
アップリンク制御チャネル（PUCCH，Physical Uplink Control Channel）又はアップリンク共有チャネル（PUSCH，Physical Uplink Shared Channel）を通して上記セル内の各端末から受信されることを特徴とする請求項１に記載の基地局装置。
【請求項６】
チャネル状態情報（ＣＳＩ，Channel State Information）に基づいて無線チャネルを割当てる基地局装置から２以上に決定されたチャネル状態情報の個数を受信する受信部；
上記２以上に決定されたチャネル状態情報の個数に応じて上記２以上のチャネル状態情報を生成する生成部；及び、
上記２以上のチャネル状態情報を基地局装置に伝送し、一つのチャネル状態情報を上記基地局装置に伝送した場合よりも、セル内の他端末と同一の無線チャネルが割当てられる確率が高くなり得るようにする伝送部；を含むことを特徴とする端末。
【請求項７】
上記２以上のチャネル状態情報それぞれは、
上記セル内に存在する多数の無線チャネルのうち上記端末で測定した品質測定結果が閾値以上である少なくとも一部の無線チャネルそれぞれに関して生成されることを特徴とする請求項６に記載の端末。
【請求項８】
上記２以上のチャネル状態情報それぞれは、
上記品質測定結果に関して、プリコード化マトリクス指標（ＰＭＩ，Precoding Matrix Index）及びチャネル品質指標（ＣＱＩ，Channel Quality Indicator）を含み、
上記端末は、
上記プリコード化マトリクス指標の値と、上記チャネル品質指標の値が上記他端末と同一であることを特徴とする請求項７に記載の端末。
【請求項９】
上記２以上のチャネル状態情報の個数は、
上記セル内への初期接続時、上記基地局装置から受信されるＲＲＣ（Radio Resource Control）メッセージに含まれ、
上記２以上のチャネル状態情報は、
アップリンク制御チャネル（PUCCH，Physical Uplink Control Channel）又はアップリンク共有チャネル（PUSCH，Physical Uplink Shared Channel）を通して上記基地局装置に伝送されることを特徴とする請求項６に記載の端末。
【請求項１０】
基地局装置が、チャネル状態情報（CSI，Channel State Information）の個数を２以上に決定する決定段階；
上記基地局装置が、上記２以上のチャネル状態情報の個数をセル内の各端末に伝送する伝送段階；
上記基地局装置が、上記２以上のチャネル状態情報の個数に応じて上記セル内の各端末から上記２以上のチャネル状態情報を受信する受信段階；
上記基地局装置が、上記２以上のチャネル状態情報に基づいて同一のチャネル状態情報を有する端末をグループ化した端末グループを生成し、チャネル状態情報の個数が一つに決定された場合よりも多い数の端末が上記端末グループにグループ化されることができるようにする生成段階；及び、
上記基地局装置が、上記端末グループに属した各端末に対して同一の無線チャネルを割当てる割当段階；を含むことを特徴とする無線チャネル割当方法。
【請求項１１】
上記２以上のチャネル状態情報に基づいて同一のチャネル状態情報を有する端末をグループ化した端末グループが生成される場合、チャネル状態情報の個数が一つに決定された場合と比較して、上記端末グループの個数、又は上記端末グループに属した端末の個数が多くなることを特徴とする請求項１０に記載の無線チャネル割当方法。
【請求項１２】
上記２以上のチャネル状態情報それぞれは、
上記セル内に存在する多数の無線チャネルのうち上記セル内の各端末で測定した品質測定結果が閾値以上である少なくとも一部の無線チャネルそれぞれに関して生成されることを特徴とする請求項１０に記載の無線チャネル割当方法。
【請求項１３】
上記２以上のチャネル状態情報それぞれは、
上記品質測定結果に関して、プリコード化マトリクス指標（ＰＭＩ，Precoding Matrix Index）及びチャネル品質指標（ＣＱＩ，Channel Quality Indicator）を含み、
上記端末グループに属した各端末は、
上記プリコード化マトリクス指標の値と、上記チャネル品質指標の値が互いに同一であることを特徴とする請求項１２に記載の無線チャネル割当方法。
【請求項１４】
上記２以上のチャネル状態情報の個数は、
上記セル内に初期接続された各端末に対して上記基地局装置が伝送するＲＲＣ（Radio Resource Control）メッセージに含まれ、
上記２以上のチャネル状態情報は、
アップリンク制御チャネル（PUCCH，Physical Uplink Control Channel）又はアップリンク共有チャネル（PUSCH，Physical Uplink Shared Channel）を通して上記セル内の各端末から受信されることを特徴とする請求項１０に記載の無線チャネル割当方法。
【発明の詳細な説明】
【技術分野】
【０００１】
本発明は、同一セル内の同一の無線チャネル（周波数及び時間資源）を重畳割当てする無線環境で、セル内の各端末から基地局装置が受信できるチャネル状態情報の個数を複数個に決定して、セル内の同一の無線チャネルを割当てることができる端末の数をより増加させるための方案に関する。
【背景技術】
【０００２】
ＬＴＥ通信システムにおいて通信サービスの種類及び伝送要求速度などが多様になるにつれて、ＬＴＥ周波数の増設及び５Ｇ通信システムへの進化が活発に進められている。
【０００３】
これに関連して、通信システムの進化によって、セル内の周波数容量の増大が求められており、このような要求を満たせる技術としては、例えば、ＮＯＭＡ（Non-Orthogonal Multiple Access）などの非直交多元接続技術が存在する。
【０００４】
ここで、非直交多元接続技術は、同一の時間、周波数、空間資源上の２以上の端末に対してデータを同時に伝送する技術のことである。
【０００５】
このような、非直交多元接続技術は、２以上の端末に対して同一の無線チャネル（周波数及び時間資源）を重畳割当てすることにより、セル内の各端末に対して互いに異なる無線チャネル（周波数資源）を割当てる技術よりも周波数効率性を向上できる効果を期待することができる。
【０００６】
ところで、今後、５Ｇ通信システムで周波数容量を増大させる必要性が益々高まることが予想され、このような必要性を満たすためには、既存の非直交多元接続技術を適用する場合よりもセル内の無線チャネルの重畳割当てが可能な端末数を増大させることができる新しい方案の模索が要求されるはずである。
【発明の概要】
【発明が解決しようとする課題】
【０００７】
本発明は、上記の事情を勘案して創出されたものであり、本発明で到逹しようとする目的は、同一セル内の同一の無線チャネルを重畳割当てする無線環境で、セル内の各端末から基地局装置が受信できるチャネル状態情報の個数を複数個に決定して、セル内の同一の無線チャネルを割当てることができる端末の数をより増加させることにある。
【課題を解決するための手段】
【０００８】
上記目的を達成するための本発明の一実施例による基地局装置は、チャネル状態情報（ＣＳＩ，Channel State Information）の個数を２以上に決定する決定部；上記２以上のチャネル状態情報の個数をセル内の各端末に伝送する伝送部；上記２以上のチャネル状態情報の個数に応じて上記セル内の各端末から上記２以上のチャネル状態情報を受信する受信部；上記２以上のチャネル状態情報に基づいて同一のチャネル状態情報を有する端末をグループ化した端末グループを生成し、チャネル状態情報の個数が一つに決定された場合よりも多い数の端末が上記端末グループにグループ化されることができるようにする生成部；及び、上記端末グループに属した各端末に対して同一の無線チャネルを割当てる割当部；を含むことを特徴とする。
【０００９】
より詳しくは、上記２以上のチャネル状態情報に基づいて同一のチャネル状態情報を有する端末をグループ化した端末グループが生成される場合、チャネル状態情報の個数が一つに決定された場合と比較して、上記端末グループの個数、又は上記端末グループに属した端末の個数が多くなることを特徴とする。
【００１０】
より詳しくは、上記２以上のチャネル状態情報それぞれは、上記セル内に存在する多数の無線チャネルのうち上記セル内の各端末で測定した品質測定結果が閾値以上である少なくとも一部の無線チャネルそれぞれに関して生成されることを特徴とする。
【００１１】
より詳しくは、上記２以上のチャネル状態情報それぞれは、上記品質測定結果に関して、プリコード化マトリクス指標（ＰＭＩ，Precoding Matrix Index）及びチャネル品質指標（ＣＱＩ，Channel Quality Indicator）を含み、上記端末グループに属した各端末は、上記プリコード化マトリクス指標の値と、上記チャネル品質指標の値が互いに同一であることを特徴とする。
【００１２】
より詳しくは、上記２以上のチャネル状態情報の個数は、上記セル内に初期接続された各端末に対して上記基地局装置が伝送するＲＲＣ（Radio Resource Control）メッセージに含まれ、上記２以上のチャネル状態情報は、アップリンク制御チャネル（PUCCH，Physical Uplink Control Channel）又はアップリンク共有チャネル（PUSCH，Physical Uplink Shared Channel）を通して上記セル内の各端末から受信されることを特徴とする。
【００１３】
上記目的を達成するための本発明の一実施例による端末は、チャネル状態情報（ＣＳＩ，Channel State Information）に基づいて無線チャネルを割当てる基地局装置から２以上に決定されたチャネル状態情報の個数を受信する受信部；上記２以上に決定されたチャネル状態情報の個数に応じて上記２以上のチャネル状態情報を生成する生成部；及び、上記２以上のチャネル状態情報を基地局装置に伝送し、一つのチャネル状態情報を上記基地局装置に伝送した場合よりも、セル内の他端末と同一の無線チャネルが割当てられる確率が高くなり得るようにする伝送部；を含むことを特徴とする。
【００１４】
より詳しくは、上記２以上のチャネル状態情報それぞれは、上記セル内に存在する多数の無線チャネルのうち上記端末で測定した品質測定結果が閾値以上である少なくとも一部の無線チャネルそれぞれに関して生成されることを特徴とする。
【００１５】
より詳しくは、上記２以上のチャネル状態情報それぞれは、上記品質測定結果に関して、プリコード化マトリクス指標（ＰＭＩ，Precoding Matrix Index）及びチャネル品質指標（ＣＱＩ，Channel Quality Indicator）を含み、上記端末は、上記プリコード化マトリクス指標の値と、上記チャネル品質指標の値が上記他端末と同一であることを特徴とする。
【００１６】
より詳しくは、上記２以上のチャネル状態情報の個数は、上記セル内への初期接続時、上記基地局装置から受信されるＲＲＣ（Radio Resource Control）メッセージに含まれ、上記２以上のチャネル状態情報は、アップリンク制御チャネル（PUCCH，Physical Uplink Control Channel）又はアップリンク共有チャネル（PUSCH，Physical Uplink Shared Channel）を通して上記基地局装置に伝送されることを特徴とする。
【００１７】
上記目的を達成するための本発明の一実施例による無線チャネル割当方法は、基地局装置が、チャネル状態情報（CSI，Channel State Information）の個数を２以上に決定する決定段階；上記基地局装置が、上記２以上のチャネル状態情報の個数をセル内の各端末に伝送する伝送段階；上記基地局装置が、上記２以上のチャネル状態情報の個数に応じて上記セル内の各端末から上記２以上のチャネル状態情報を受信する受信段階；上記基地局装置が、上記２以上のチャネル状態情報に基づいて同一のチャネル状態情報を有する端末をグループ化した端末グループを生成し、チャネル状態情報の個数が一つに決定された場合よりも多い数の端末が上記端末グループにグループ化されることができるようにする生成段階；及び、上記基地局装置が、上記端末グループに属した各端末に対して同一の無線チャネルを割当てる割当段階；を含むことを特徴とする。
【００１８】
より詳しくは、上記２以上のチャネル状態情報に基づいて同一のチャネル状態情報を有する端末をグループ化した端末グループが生成される場合、チャネル状態情報の個数が一つに決定された場合と比較して、上記端末グループの個数、又は上記端末グループに属した端末の個数が多いことを特徴とする。
【００１９】
より詳しくは、上記２以上のチャネル状態情報それぞれは、上記セル内に存在する多数の無線チャネルのうち上記セル内の各端末で測定した品質測定結果が閾値以上である少なくとも一部の無線チャネルそれぞれに関して生成されることを特徴とする。
【００２０】
より詳しくは、上記２以上のチャネル状態情報それぞれは、上記品質測定結果に関して、プリコード化マトリクス指標（ＰＭＩ，Precoding Matrix Index）及びチャネル品質指標（ＣＱＩ，Channel Quality Indicator）を含み、上記端末グループに属した各端末は、上記プリコード化マトリクス指標の値と、上記チャネル品質指標の値が互いに同一であることを特徴とする。
【００２１】
より詳しくは、上記２以上のチャネル状態情報の個数は、上記セル内に初期接続された各端末に対して上記基地局装置が伝送するＲＲＣ（Radio Resource Control）メッセージに含まれ、上記２以上のチャネル状態情報は、アップリンク制御チャネル（PUCCH，Physical Uplink Control Channel）又はアップリンク共有チャネル（PUSCH，Physical Uplink Shared Channel）を通して上記セル内の各端末から受信されることを特徴とする。
【発明の効果】
【００２２】
よって、本発明の一実施例による基地局装置及び端末、並びに無線チャネル割当方法では、同一セル内の同一の無線チャネルを重畳割当てする無線環境で、セル内の各端末から基地局装置が受信できるチャネル状態情報の個数を複数個に決定して、セル内の同一の無線チャネルの割当てが可能な端末の数が増加できるようにすることにより、無線効率性及びセル容量を向上させる効果を奏する。
【図面の簡単な説明】
【００２３】
【図１】本発明の一実施例による無線環境を示した例示図である。
【図２】本発明の一実施例による非直交多元接続技術による周波数資源割当てを説明するための図面である。
【図３】本発明の一実施例による基地局装置の構成を説明するための図面である。
【図４】本発明の一実施例による伝送パワー割当てを説明するための図面である。
【図５】本発明の一実施例による端末の構成を説明するための図面である。
【図６】本発明の一実施による無線チャネル割当システムでの動作の流れを説明するための図面である。
【図７】本発明の一実施例による基地局装置での動作の流れを説明するための図面である。
【図８】本発明の一実施例による端末での動作の流れを説明するための図面である。
【発明を実施するための形態】
【００２４】
以下、添付図面を参照して本発明の一実施例について説明する。
【００２５】
図１は、本発明の一実施例による無線環境を示している。
【００２６】
図１に示されているように、本発明の一実施例による無線環境には、基地局装置１０及びセルＣ内に位置した多数の端末２０（ＵＥ♯０、ＵＥ♯１、ＵＥ♯２）が含まれ得る。
【００２７】
ここで、基地局装置１０は、セルＣを形成してセルＣ内に位置する多数の端末２０（ＵＥ♯０、ＵＥ♯１、ＵＥ♯２）を対象に移動通信サービスを提供する基地局のことであり、例えば、ＮｏｄｅＢ、ｅＮｏｄｅＢがこれに該当し得る。
【００２８】
このような、基地局装置１０は、セルＣ内の周波数容量を極大化するための手段として、例えば、閉ループ方式の多重入出力（CS-MIMO，Close Loop-Multi Input Multi Out）システムで具現されることができる。
【００２９】
また、端末２０（ＵＥ♯０、ＵＥ♯１、ＵＥ♯２）の場合、例えば、ＵＥ（User Equipment）、ＭＳ（Mobile Station）など移動又は固定型使用者ノードなどであり得る。
【００３０】
このような、本発明の一実施例による無線環境は、セル内の周波数容量を増大させるための目的として、例えば、ＮＯＭＡ（Non-Orthogonal Multiple Access）技術などの非直交多元接続技術を適用する。
【００３１】
このような、非直交多元接続技術は、先に背景技術でも言及したように、同一の時間、周波数、空間資源上の２以上の端末に対してデータを同時に伝送する技術を言う。
【００３２】
これに関連して、図２は、ＯＦＤＭＡ（Orthogonal Frequency Division Multiplexing Access）技術と非直交多元接続技術それぞれでの周波数資源割当方式を比較して示している。
【００３３】
図２に示されているように、ＯＦＤＭＡ技術では、周波数資源の直交性を維持してセル内の各端末に対して互いに異なる周波数資源を割当てるのに対して、非直交多元接続技術の場合、周波数資源の直交性を崩し２以上の端末に対して同一の周波数資源を重畳割当てする方式を適用することが確認できる。
【００３４】
結局、非直交多元接続技術を適用する場合、２以上の端末に対して同一の周波数資源を重畳割当てすることにより、セル内の各端末に対して互いに異なる周波数資源を割当てるＯＦＤＭＡ技術よりも周波数効率が向上することから、セル内の周波数容量を増大させることができることが分かる。
【００３５】
このような、非直交多元接続技術についてより具体的に考察すると、次の通りである。
【００３６】
本発明の一実施例による無線環境が非直交多元接続技術を適用する場合、セルＣ内の各端末２０（ＵＥ♯０、ＵＥ♯１、ＵＥ♯２）は、無線チャネル（周波数及び時間資源）スケジューリングに必要な情報であるチャネル状態情報（ＣＳＩ，Channel State Information）を基地局装置１０に周期的に伝送する。
【００３７】
ここで、チャネル状態情報は、セルＣ内の各端末２０（ＵＥ♯０、ＵＥ♯１、ＵＥ♯２）がセルＣ内の多数の無線チャネルに対して測定した品質測定結果に関するものであり、例えば、プリコード化マトリクス指標（ＰＭＩ，Precoding Matrix Index）、チャネル品質指標（ＣＱＩ，Channel Quality Indicator）及びランク指標（ＲＩ，Rank Indicator）が含まれ得る。
【００３８】
これについて、基地局装置１０は、セルＣ内の各端末２０（ＵＥ♯０、ＵＥ♯１、ＵＥ♯２）のうち、チャネル状態情報内のプリコード化マトリクス指標の値とチャネル品質指標の値が互いに一致する端末をグループ化して端末グループを生成し、該当端末グループに属する各端末に対して同一の周波数資源を重畳割当てしてデータを同時伝送することができるようになる。
【００３９】
ところで、セルＣ内の各端末２０（ＵＥ♯０、ＵＥ♯１、ＵＥ♯２）は、セルＣ内の多数の無線チャネルのうち最も良好な品質測定結果が確認される特定無線チャネルにかかる一つのチャネル状態情報のみを生成して基地局装置１０に伝送する。
【００４０】
これについて、基地局装置１０では、セルＣ内の各端末２０（ＵＥ♯０、ＵＥ♯１、ＵＥ♯２）から一つずつ受信される各チャネル状態情報においてプリコード化マトリクス指標の値とチャネル品質指標の値が互いに一致するかを確認することにより、その値が互いに一致する端末を端末グループにグループ化して同一の無線チャネル（周波数及び時間資源）を割当てる。
【００４１】
このように、基地局装置１０ではセルＣ内の各端末２０（ＵＥ♯０、ＵＥ♯１、ＵＥ♯２）から一つずつ受信される各チャネル状態情報のみを用いて端末グループが生成されることにより、各端末グループにグループ化される端末の数が限定的であらざるを得ない。
【００４２】
よって、本発明の一実施例による無線環境が既存の非直交多元接続技術をそのまま適用する場合、今後５Ｇ通信システムで必要な周波数容量の支援に限界があり得ることが予想される。
【００４３】
よって、本発明の一実施例では、本発明の一実施例による無線環境が非直交多元接続技術を適用する場合、セルＣ内の各端末２０（ＵＥ♯０、ＵＥ♯１、ＵＥ♯２）から受信されるチャネル状態情報の個数を複数個に決定して、チャネル状態情報の個数が一つに決定された場合よりも多い数の端末を端末グループにグループ化するための方案を提案しようとする。
【００４４】
以下では、これを具現するための、無線チャネル割当システム、基地局装置１及び端末２０（ＵＥ♯０、ＵＥ♯１、ＵＥ♯２）の構成について説明する。
【００４５】
先ず、本発明の一実施例による無線チャネル割当システムを説明することにし、以下で説明される本発明の一実施例による無線チャネル割当システム内の構成は、図１を参照して説明した本発明の一実施例による無線環境内の構成と同一の構成を有することを前提とする。
【００４６】
基地局装置１０は、チャネル状態情報の個数を決定する機能を行う。
【００４７】
より詳しくは、基地局装置１０は、無線チャネル（周波数及び時間資源）スケジューリングのために、セルＣ内の各端末２０（ＵＥ♯０、ＵＥ♯１、ＵＥ♯２）から受信するためのチャネル状態情報の個数を決定する。
【００４８】
このとき、基地局装置１０は、チャネル状態情報の個数を、既存の非直交多元接続技術を適用する場合よりも増加させて２以上に決定する。
【００４９】
ここで、チャネル状態情報の個数は、セルＣ内の同一の無線チャネル（周波数及び時間資源）を割当てるための端末数と直結するものであり、例えば、同一の無線チャネル（周波数及び時間資源）が割当てられる端末間の干渉を考慮した結果、或いはシステム運営者の設定によって、２以上の多様な個数に決定されることができるのは勿論のことである。
【００５０】
また、基地局装置１０は、チャネル状態情報の個数を伝送する機能を行う。
【００５１】
より詳しくは、基地局装置１０は、セルＣ内の各端末２０（ＵＥ♯０、ＵＥ♯１、ＵＥ♯２）から受信するためのチャネル状態情報の個数が決定されると、決定されたチャネル状態情報の個数をセルＣ内の各端末２０（ＵＥ♯０、ＵＥ♯１、ＵＥ♯２）に伝送する。
【００５２】
これに関して、基地局装置１０は、各端末２０（ＵＥ♯０、ＵＥ♯１、ＵＥ♯２）がセルＣに初期接続される場合、決定されたチャネル状態情報の個数にかかる情報をＲＲＣ（Radio Resource Control）メッセージ内に含ませてセルＣ内の各端末２０（ＵＥ♯０、ＵＥ♯１、ＵＥ♯２）に伝送することができる。
【００５３】
セルＣ内の各端末２０（ＵＥ♯０、ＵＥ♯１、ＵＥ♯２）は、チャネル状態情報を生成する機能を行う。
【００５４】
より詳しくは、セルＣ内の各端末２０（ＵＥ♯０、ＵＥ♯１、ＵＥ♯２）は、セルＣへの初期接続によって基地局装置１０から自身が伝送しなければならないチャネル状態情報の個数が確認される場合、確認されたチャネル状態情報の個数に該当する２以上のチャネル状態情報を生成する。
【００５５】
このとき、セルＣ内の各端末２０（ＵＥ♯０、ＵＥ♯１、ＵＥ♯２）は、セル内に存在する多数の無線チャネルそれぞれに対する品質を測定し、品質測定結果が良好な優先順位に従って、基地局装置１０で決定されたチャネル状態情報の個数分の２以上の無線チャネルを選別することにより、選別された２以上の無線チャネルそれぞれに関してチャネル状態情報を生成するのである。
【００５６】
ここで、チャネル状態情報それぞれには、例えば、各端末２０（ＵＥ♯０、ＵＥ♯１、ＵＥ♯２）で品質測定に利用した特定プリコード化マトリクスにかかるプリコード化マトリクス指標（ＰＭＩ，Precoding Matrix Index）と、該当品質測定結果にかかるチャネル品質指標（ＣＱＩ，Channel Quality Indicator）、そしてランク指標（ＲＩ，Rank Indicator）が含まれ得る。
【００５７】
また、セルＣ内の各端末２０（ＵＥ♯０、ＵＥ♯１、ＵＥ♯２）は、チャネル状態情報を伝送する機能を行う。
【００５８】
より詳しくは、セルＣ内の各端末２０（ＵＥ♯０、ＵＥ♯１、ＵＥ♯２）は、基地局装置２０で決定されたチャネル状態情報の個数に応じて２以上のチャネル状態情報の生成が完了すると、生成された２以上のチャネル状態情報を基地局装置１０に伝送してスケジューリングに利用できるようにする。
【００５９】
これに関して、セルＣ内の各端末２０（ＵＥ♯０、ＵＥ♯１、ＵＥ♯２）は、例えば、アップリンク制御チャネル（PUCCH，Physical Uplink Control Channel）又はアップリンク共有チャネル（PUSCH，Physical Uplink Shared Channel）を通して２以上のチャネル状態情報を基地局装置１０に伝送することができる。
【００６０】
また、基地局装置１０は、端末グループを生成する機能を行う。
【００６１】
より詳しくは、基地局装置１０は、セルＣ内の各端末２０（ＵＥ♯０、ＵＥ♯１、ＵＥ♯２）から２以上のチャネル状態情報が受信される場合、各端末２０（ＵＥ♯０、ＵＥ♯１、ＵＥ♯２）から受信された２以上のチャネル状態情報を互いに比較して、互いに同一のチャネル品質指標が受信された端末をグループ化して端末グループを生成する。
【００６２】
これに関して、基地局装置１０は、各端末２０（ＵＥ♯０、ＵＥ♯１、ＵＥ♯２）から受信された２以上のチャネル状態情報間のプリコード化マトリクス指標の値とチャネル品質指標の値の対を互いに比較し、プリコード化マトリクス指標の値とチャネル品質指標の値の対が互いに同一の端末を、同一の無線チャネル（周波数及び時間資源）を割当てるための端末グループにグループ化することができる。
【００６３】
また、基地局装置１０は、無線チャネル（周波数及び時間資源）を割当てる機能を行う。
【００６４】
より詳しくは、基地局装置１０は、チャネル品質指標内のプリコード化マトリクス指標の値とチャネル品質指標の値が同一の端末をグループ化した端末グループの生成が完了すると、生成された端末グループに属した各端末に対して同一の周波数資源を割当て、割当てられた周波数資源を通してダウンリンクデータを同時に伝送できるようにスケジューリングする。
【００６５】
以上、本発明の一実施例による無線チャネル割当システムについての説明を終え、以下では、図３を参照して本発明の一実施例による基地局装置１０の構成について説明することにする。
【００６６】
図３に示されているように、本発明の一実施例による基地局装置１０は、チャネル状態情報の個数を決定する決定部１１、決定されたチャネル状態情報の個数を伝送する受信部１２、決定されたチャネル状態情報の個数分のチャネル状態情報を受信する受信部１３、端末グループを生成する生成部１４、及び無線チャネル（周波数及び時間資源）を割当てる割当部１５を含む構成を有することができる。
【００６７】
以上の決定部１１、伝送部１２、受信部１３、生成部１４、及び割当部１５を含む基地局装置１０の全体構成或いは少なくとも一部は、ソフトウェアモジュール又はハードウェアモジュール形態、或いはソフトウェアモジュールとハードウェアモジュールとの組合せ形態で具現されることができる。
【００６８】
結局、本発明の一実施例による基地局装置１０は、上記構成を通してセルＣ内の各端末２０（ＵＥ♯０、ＵＥ♯１、ＵＥ♯２）から受信されるチャネル状態情報の個数を２以上に決定して、チャネル状態情報の個数が一つに決定された場合よりも多い数の端末を端末グループにグループ化することができる。以下では、これを具現するための基地局装置１０内の各構成について具体的に説明することにする。
【００６９】
決定部１１は、チャネル状態情報の個数を決定する機能を行う。
【００７０】
より詳しくは、決定部１１は、無線チャネル（周波数及び時間資源）スケジューリングのために、セルＣ内の各端末２０（ＵＥ♯０、ＵＥ♯１、ＵＥ♯２）から受信するためのチャネル状態情報の個数を決定する。
【００７１】
このとき、決定部１１は、チャネル状態情報の個数を、既存の非直交多元接続技術を適用する場合よりも増加させて２以上に決定する。
【００７２】
伝送部１２は、チャネル状態情報の個数を伝送する機能を行う。
【００７３】
より詳しくは、伝送部１２は、セルＣ内の各端末２０（ＵＥ♯０、ＵＥ♯１、ＵＥ♯２）から受信するためのチャネル状態情報の個数が決定されると、決定されたチャネル状態情報の個数をセルＣ内の各端末２０（ＵＥ♯０、ＵＥ♯１、ＵＥ♯２）に伝送する。
【００７４】
これに関して、伝送部１２は、各端末２０（ＵＥ♯０、ＵＥ♯１、ＵＥ♯２）がセルＣに初期接続される場合、決定されたチャネル状態情報の個数にかかる情報をＲＲＣ（Radio Resource Control）メッセージ内に含ませてセルＣ内の各端末２０（ＵＥ♯０、ＵＥ♯１、ＵＥ♯２）に伝送することができる。
【００７５】
これについて、セルＣ内の各端末２０（ＵＥ♯０、ＵＥ♯１、ＵＥ♯２）は、基地局装置１０から自身が伝送しなければならないチャネル状態情報の個数が確認される場合、セル内に存在する多数の無線チャネルそれぞれに対する品質を測定し、品質測定結果が良好な優先順位に従って、基地局装置１０で決定されたチャネル状態情報の個数分の２以上の無線チャネルを選別することにより、選別された２以上の無線チャネルそれぞれにかかるチャネル状態情報を生成する。
【００７６】
受信部１３は、セルＣ内の各端末２０（ＵＥ♯０、ＵＥ♯１、ＵＥ♯２）から２以上のチャネル状態情報を受信する機能を行う。
【００７７】
より詳しくは、受信部１３は、決定されたチャネル状態情報の個数だけセルＣ内の各端末２０（ＵＥ♯０、ＵＥ♯１、ＵＥ♯２）で生成された２以上のチャネル状態情報を、セルＣ内の各端末２０（ＵＥ♯０、ＵＥ♯１、ＵＥ♯２）から受信する。
【００７８】
このとき、受信部１３は、例えば、アップリンク制御チャネル（PUCCH，Physical Uplink Control Channel）又はアップリンク共有チャネル（PUSCH，Physical Uplink Shared Channel）を通してセルＣ内の各端末２０（ＵＥ♯０、ＵＥ♯１、ＵＥ♯２）から２以上のチャネル状態情報を受信することができる。
【００７９】
生成部１４は、端末グループを生成する機能を行う。
【００８０】
より詳しくは、生成部１４は、セルＣ内の各端末２０（ＵＥ♯０、ＵＥ♯１、ＵＥ♯２）から２以上のチャネル状態情報が受信される場合、各端末２０（ＵＥ♯０、ＵＥ♯１、ＵＥ♯２）から受信された２以上のチャネル状態情報を互いに比較して、互いに同一のチャネル品質指標が受信された端末をグループ化して端末グループを生成する。
【００８１】
これに関して、生成部１４は、各端末２０（ＵＥ♯０、ＵＥ♯１、ＵＥ♯２）から受信された２以上のチャネル状態情報間のプリコード化マトリクス指標の値とチャネル品質指標の値の対を互いに比較し、プリコード化マトリクス指標の値とチャネル品質指標の値の対が互いに同一の端末を、同一の無線チャネル（周波数及び時間資源）を割当てるための端末グループにグループ化することができる。
【００８２】
割当部１５は、無線チャネル（周波数及び時間資源）を割当てる機能を行う。
【００８３】
より詳しくは、割当部１５は、チャネル品質指標内のプリコード化マトリクス指標の値とチャネル品質指標の値が同一の端末をグループ化した端末グループの生成が完了すると、生成された端末グループに属する各端末に対して同一の周波数資源を割当て、割当てられた周波数資源を通してダウンリンクデータを同時に伝送できるようにスケジューリングする。
【００８４】
ここで、端末グループに属する各端末に対しては、特定プリコーディングベクターを利用した同一のチャネル品質指標の値が保障されることにより、同一のプリコーダー（Precoder）を用いたデータ伝送が可能であることが予想できる。
【００８５】
一方、割当部１５は、同一の周波数資源が割当てられる端末間の干渉を最小化するために、端末グループに属する各端末に対するデータを伝送するための伝送パワーを割当てることになる。
【００８６】
例えば、図４は、端末グループにグループ化された第１端末Ｕ♯０と第２端末ＵＥ♯１を示している。
【００８７】
図４に示されているように、第１端末Ｕ♯０と基地局装置１０との間の距離ｄ−１よりも第２端末ＵＥ♯１と基地局装置１０との間の距離ｄ−２がより遠いことが確認できる。
【００８８】
このとき、割当部１５は、基地局装置１から近くに位置した第１端末Ｕ♯０に対してより低い伝送パワーを割当て、その反面、基地局装置１から遠くに位置した第２端末ＵＥ♯１に対してはより高い伝送パワーを割当てることができる。
【００８９】
よって、基地局装置１から近くに位置した第１端末Ｕ♯０は、例えば、逐次干渉除去（SIC，Successive Interference Cancellation）方式に従って信号の強度が大きい第２端末ＵＥ♯１の干渉信号を先ず復号して除去した後、自身の信号を成功的に復号することができる。
【００９０】
その反面、基地局装置１から遠くに位置した第２端末ＵＥ♯１の場合、第１端末Ｕ♯０からの干渉信号が相対的に弱く到逹するため、これを干渉と見なしたまま自身の信号を復号することができるのである。
【００９１】
参考として、下の［表１］は、端末グループにグループ化されなかった場合に、特定周波数資源に関連して第１端末Ｕ♯０と第２端末Ｕ♯１に割当てることができる伝送パワーと、端末グループにグループ化された場合に、特定周波数資源に関連して第１端末Ｕ♯０と第２端末Ｕ♯１に割当てることができる伝送パワーの割当ての一例を示している。
【表１】
2018535567.tif 000003
【００９２】
以上、本発明の一実施例による基地局装置１０の構成についての説明を終え、以下では、図５を参照して本発明の一実施例による端末２０（ＵＥ０）の構成について説明することにする。
【００９３】
図５に示されているように、本発明の一実施例による端末２０（ＵＥ０）は、決定されたチャネル状態情報の個数を受信する受信部２１、チャネル状態情報を生成する生成部２２、及びチャネル状態情報を伝送する伝送部２３を含む構成を有することができる。
【００９４】
以上の受信部２１、生成部２２、及び伝送部２３を含む端末２０（ＵＥ０）の構成全体或いは少なくとも一部は、ソフトウェアモジュール又はハードウェアモジュール形態、或いはソフトウェアモジュールとハードウェアモジュールとの組合せ形態で具現されることができる。
【００９５】
結局、本発明の一実施例による端末２０（ＵＥ０）は、上記構成を通して２以上のチャネル状態情報を生成し基地局装置１０に伝送することにより、一つのチャネル状態情報を伝送する場合よりも他端末（ＵＥ１、ＵＥ２）と端末グループにグループ化される確率を高めることができる。以下では、これを具現するための端末２０内の各構成について具体的に説明することにする。
【００９６】
受信部２１は、チャネル状態情報の個数を受信する機能を行う。
【００９７】
より詳しくは、受信部２１は、基地局装置１０から２以上の決定されたチャネル状態情報の個数にかかる情報を受信する。
【００９８】
これに関して、基地局装置１０は、無線チャネル（周波数及び時間資源）スケジューリングのために、セルＣ内の各端末２０（ＵＥ♯０、ＵＥ♯１、ＵＥ♯２）から受信するためのチャネル状態情報の個数を決定し、各端末２０（ＵＥ♯０、ＵＥ♯１、ＵＥ♯２）がセルＣに初期接続する場合、決定されたチャネル状態情報の個数にかかる情報をＲＲＣ（Radio Resource Control）メッセージ内に含ませてセルＣ内の各端末２０（ＵＥ♯０、ＵＥ♯１、ＵＥ♯２）に伝送する。
【００９９】
生成部２２は、チャネル状態情報を生成する機能を行う。
【０１００】
より詳しくは、生成部２２は、セルＣへの初期接続によって基地局装置１０から自身が伝送しなければならないチャネル状態情報の個数が確認される場合、確認されたチャネル状態情報の個数に該当する２以上のチャネル状態情報を生成する。
【０１０１】
このとき、生成部２２は、セル内に存在する多数の無線チャネルそれぞれに対する品質を測定し、品質測定結果が良好な優先順位に従って、基地局装置１０で決定されたチャネル状態情報の個数分の２以上の無線チャネルを選別することにより、選別された２以上の無線チャネルそれぞれにかかるチャネル状態情報を生成するのである。
【０１０２】
ここで、チャネル状態情報それぞれには、各端末２０（ＵＥ♯０、ＵＥ♯１、ＵＥ♯２）で品質測定に利用した特定プリコード化マトリクスにかかるプリコード化マトリクス指標（ＰＭＩ，Precoding Matrix Index）と、該当品質測定結果にかかるチャネル品質指標（ＣＱＩ，Channel Quality Indicator）、そしてランク指標（ＲＩ，Rank Indicator）が含まれ得る。
【０１０３】
伝送部２３は、チャネル状態情報を伝送する機能を行う。
【０１０４】
より詳しくは、伝送部２３は、基地局装置２０で決定されたチャネル状態情報の個数に応じて２以上のチャネル状態情報の生成が完了すると、生成された２以上のチャネル状態情報を基地局装置１０に伝送してスケジューリングに利用できるようにする。
【０１０５】
これに関して、伝送部２３は、例えば、アップリンク制御チャネル（PUCCH，Physical Uplink Control Channel）又はアップリンク共有チャネル（PUSCH，Physical Uplink Shared Channel）を通して２以上のチャネル状態情報を基地局装置１０に伝送することができる。
【０１０６】
これに関して、基地局装置１０は、セルＣ内の各端末２０（ＵＥ♯０、ＵＥ♯１、ＵＥ♯２）から２以上のチャネル状態情報が受信される場合、各端末２０（ＵＥ♯０、ＵＥ♯１、ＵＥ♯２）から受信された２以上のチャネル状態情報を互いに比較して、互いに同一のチャネル品質指標が受信された端末をグループ化して端末グループを生成する。
【０１０７】
このとき、基地局装置１０は、各端末２０（ＵＥ♯０、ＵＥ♯１、ＵＥ♯２）から受信された２以上のチャネル状態情報間のプリコード化マトリクス指標の値とチャネル品質指標の値の対を互いに比較し、プリコード化マトリクス指標の値とチャネル品質指標の値の対が互いに同一の端末を、同一の無線チャネル（周波数及び時間資源）を割当てるための端末グループにグループ化することができる。
【０１０８】
結局、基地局装置１０は、チャネル品質指標内のプリコード化マトリクス指標の値とチャネル品質指標の値が同一の端末をグループ化した端末グループの生成が完了すると、生成された端末グループに属する各端末に対して同一の周波数資源を割当て、割当てられた周波数資源を通してダウンリンクデータを同時に伝送できるようにスケジューリングすることができる。
【０１０９】
以上で説明したように、本発明の一実施例による無線チャネル割当システム、基地局装置１０及び端末２０（ＵＥ♯０）によれば、セルＣ内の端末２０（ＵＥ♯０、ＵＥ♯１、ＵＥ♯２）のうち同一のチャネル状態情報（ＣＳＩ，Channel State Information）が受信される端末を端末グループにグループ化して同一の無線チャネル（周波数及び時間資源）を重畳割当てする無線環境で、各端末２０（ＵＥ♯０、ＵＥ♯１、ＵＥ♯２）から受信されるチャネル状態情報の個数を２以上に決定して、チャネル状態情報の個数が一つに決定された場合よりも多い数の端末を端末グループにグループ化することができるため、セル内の同一の無線チャネル（周波数資源）の割当てが可能な端末数が増加してセル内の周波数効率を大きく向上させることができる。
【０１１０】
以下では、図６乃至図８を参考として、本発明の一実施例による無線チャネル割当システム、基地局装置１０及び端末２０（ＵＥ♯０）での動作の流れを説明することにする。
【０１１１】
先に、図６を参照して、無線チャネル割当システムでの動作の流れを説明することにする。
【０１１２】
先ず、基地局装置１０は、段階‘Ｓ１１’によって、無線チャネル（周波数及び時間資源）スケジューリングのために、セルＣ内の各端末２０（ＵＥ♯０、ＵＥ♯１、ＵＥ♯２）から受信するためのチャネル状態情報の個数を決定する。
【０１１３】
このとき、基地局装置１０は、チャネル状態情報の個数を、既存の非直交多元接続技術を適用する場合よりも増加させて２以上に決定する。
【０１１４】
それから、基地局装置１０は、セルＣ内の各端末２０（ＵＥ♯０、ＵＥ♯１、ＵＥ♯２）から受信するためのチャネル状態情報の個数が決定されると、段階‘Ｓ１２’によって、決定されたチャネル状態情報の個数をセルＣ内の各端末２０（ＵＥ♯０、ＵＥ♯１、ＵＥ♯２）に伝送する。
【０１１５】
これに関して、基地局装置１０は、各端末２０（ＵＥ♯０、ＵＥ♯１、ＵＥ♯２）がセルＣに初期接続する場合、決定されたチャネル状態情報の個数にかかる情報をＲＲＣ（Radio Resource Control）メッセージ内に含ませてセルＣ内の各端末２０（ＵＥ♯０、ＵＥ♯１、ＵＥ♯２）に伝送することができる。
【０１１６】
引き続いて、セルＣ内の各端末２０（ＵＥ♯０、ＵＥ♯１、ＵＥ♯２）は、セルＣへの初期接続によって基地局装置１０から自身が伝送しなければならないチャネル状態情報の個数が確認される場合、段階‘Ｓ１３’及び段階‘Ｓ１４’によって、確認されたチャネル状態情報の個数に該当する２以上のチャネル状態情報を生成する。
【０１１７】
このとき、セルＣ内の各端末２０（ＵＥ♯０、ＵＥ♯１、ＵＥ♯２）は、セル内に存在する多数の無線チャネルそれぞれに対する品質を測定し、品質測定結果が良好な優先順位に従って、基地局装置１０で決定されたチャネル状態情報の個数分の２以上の無線チャネルを選別することにより、選別された２以上の無線チャネルそれぞれにかかるチャネル状態情報を生成する。
【０１１８】
ここで、チャネル状態情報それぞれには、各端末２０（ＵＥ♯０、ＵＥ♯１、ＵＥ♯２）で品質測定に利用した特定プリコード化マトリクスにかかるプリコード化マトリクス指標（ＰＭＩ，Precoding Matrix Index）と、該当品質測定結果にかかるチャネル品質指標（ＣＱＩ，Channel Quality Indicator）、そしてランク指標（ＲＩ，Rank Indicator）が含まれ得る。
【０１１９】
それから、セルＣ内の各端末２０（ＵＥ♯０、ＵＥ♯１、ＵＥ♯２）は、基地局装置２０で決定されたチャネル状態情報の個数に応じて２以上のチャネル状態情報の生成が完了すると、段階‘Ｓ１５’によって、生成された２以上のチャネル状態情報を基地局装置１０に伝送してスケジューリングに利用できるようにする。
【０１２０】
これに関して、セルＣ内の各端末２０（ＵＥ♯０、ＵＥ♯１、ＵＥ♯２）は、例えば、アップリンク制御チャネル（PUCCH，Physical Uplink Control Channel）又はアップリンク共有チャネル（PUSCH，Physical Uplink Shared Channel）を通して２以上のチャネル状態情報を基地局装置１０に伝送することができる。
【０１２１】
さらに、基地局装置１０は、セルＣ内の各端末２０（ＵＥ♯０、ＵＥ♯１、ＵＥ♯２）から２以上のチャネル状態情報が受信される場合、段階‘Ｓ１６’によって、各端末２０（ＵＥ♯０、ＵＥ♯１、ＵＥ♯２）から受信された２以上のチャネル状態情報を互いに比較して、互いに同一のチャネル品質指標が受信された端末をグループ化して端末グループを生成する。
【０１２２】
これに関して、基地局装置１０は、各端末２０（ＵＥ♯０、ＵＥ♯１、ＵＥ♯２）から受信された２以上のチャネル状態情報間のプリコード化マトリクス指標の値とチャネル品質指標の値の対を互いに比較して、プリコード化マトリクス指標の値とチャネル品質指標の値の対が互いに同一の端末を、同一の無線チャネル（周波数及び時間資源）を割当てるための端末グループにグループ化することができる。
【０１２３】
以後、基地局装置１０は、チャネル品質指標内のプリコード化マトリクス指標の値とチャネル品質指標の値が同一の端末をグループ化した端末グループの生成が完了すると、段階‘Ｓ１７’によって、生成された端末グループに属する各端末に対して同一の周波数資源を割当て、割当てられた周波数資源を通してダウンリンクデータを同時に伝送できるようにスケジューリングする。
【０１２４】
以上、本発明の一実施例による無線チャネル割当システムでの動作の流れについての説明を終え、以下では、図７を参照して本発明の一実施例による基地局装置１０での動作の流れを説明することにする。
【０１２５】
先ず、決定部１１は、段階‘Ｓ２１’によって、無線チャネル（周波数及び時間資源）スケジューリングのために、セルＣ内の各端末２０（ＵＥ♯０、ＵＥ♯１、ＵＥ♯２）から受信するためのチャネル状態情報の個数を決定する。
【０１２６】
このとき、決定部１１は、チャネル状態情報の個数を、既存の非直交多元接続技術を適用する場合よりも増加させて２以上に決定する。
【０１２７】
それから、伝送部１２は、セルＣ内の各端末２０（ＵＥ♯０、ＵＥ♯１、ＵＥ♯２）から受信するためのチャネル状態情報の個数が決定されると、段階‘Ｓ２２'によって、決定されたチャネル状態情報の個数をセルＣ内の各端末２０（ＵＥ♯０、ＵＥ♯１、ＵＥ♯２）に伝送する。
【０１２８】
このとき、伝送部１２は、各端末２０（ＵＥ♯０、ＵＥ♯１、ＵＥ♯２）がセルＣに初期接続する場合、決定されたチャネル状態情報の個数にかかる情報をＲＲＣ（Radio Resource Control）メッセージ内に含ませてセルＣ内の各端末２０（ＵＥ♯０、ＵＥ♯１、ＵＥ♯２）に伝送することができる。
【０１２９】
これについて、セルＣ内の各端末２０（ＵＥ♯０、ＵＥ♯１、ＵＥ♯２）は、基地局装置１０から自身が伝送しなければならないチャネル状態情報の個数が確認される場合、セル内に存在する多数の無線チャネルそれぞれに対する品質を測定し、品質測定結果が良好な優先順位に従って、基地局装置１０で決定されたチャネル状態情報の個数分の２以上の無線チャネルを選別することにより、選別された２以上の無線チャネルそれぞれにかかるチャネル状態情報を生成する。
【０１３０】
さらに、受信部１３は、段階‘Ｓ２３’によって、決定されたチャネル状態情報の個数だけセルＣ内の各端末２０（ＵＥ♯０、ＵＥ♯１、ＵＥ♯２）で生成された２以上のチャネル状態情報を、セルＣ内の各端末２０（ＵＥ♯０、ＵＥ♯１、ＵＥ♯２）から受信する。
【０１３１】
このとき、受信部１３は、例えば、アップリンク制御チャネル（PUCCH，Physical Uplink Control Channel）又はアップリンク共有チャネル（PUSCH，Physical Uplink Shared Channel）を通してセルＣ内の各端末２０（ＵＥ♯０、ＵＥ♯１、ＵＥ♯２）から２以上のチャネル状態情報を受信することができる。
【０１３２】
それから、生成部１４は、セルＣ内の各端末２０（ＵＥ♯０、ＵＥ♯１、ＵＥ♯２）から２以上のチャネル状態情報が受信される場合、段階‘Ｓ２４’によって、各端末２０（ＵＥ♯０、ＵＥ♯１、ＵＥ♯２）から受信された２以上のチャネル状態情報を互いに比較して、互いに同一のチャネル品質指標が受信された端末をグループ化して端末グループを生成する。
【０１３３】
これに関して、生成部１４は、各端末２０（ＵＥ♯０、ＵＥ♯１、ＵＥ♯２）から受信された２以上のチャネル状態情報間のプリコード化マトリクス指標の値とチャネル品質指標の値の対を互いに比較して、プリコード化マトリクス指標の値とチャネル品質指標の値の対が互いに同一の端末を、同一の無線チャネル（周波数及び時間資源）を割当てるための端末グループにグループ化することができる。
【０１３４】
以後、割当部１５は、チャネル品質指標内のプリコード化マトリクス指標の値とチャネル品質指標の値が同一の端末をグループ化した端末グループの生成が完了すると、段階‘Ｓ２５’によって、生成された端末グループに属する各端末に対して同一の周波数資源を割当て、割当てられた周波数資源を通してダウンリンクデータを同時に伝送できるようにスケジューリングする。
【０１３５】
このとき、割当部１５は、同一の周波数資源が割当てられる端末間の干渉を最小化するために、端末グループに属する各端末に対するデータを伝送するための伝送パワーを割当てる。
【０１３６】
以上、本発明の一実施例による基地局装置１０での動作の流れについての説明を終え、以下では、図８を参考として、本発明の一実施例による端末２０（ＵＥ０）での動作の流れを説明することにする。
【０１３７】
先ず、受信部２１は、段階‘Ｓ３１’によって、基地局装置１０から２以上の決定されたチャネル状態情報の個数を受信する。
【０１３８】
これに関して、基地局装置１０は、無線チャネル（周波数及び時間資源）スケジューリングのために、セルＣ内の各端末２０（ＵＥ♯０、ＵＥ♯１、ＵＥ♯２）から受信するためのチャネル状態情報の個数を決定し、各端末２０（ＵＥ♯０、ＵＥ♯１、ＵＥ♯２）がセルＣに初期接続する場合、決定されたチャネル状態情報の個数にかかる情報をＲＲＣ（Radio Resource Control）メッセージ内に含ませてセルＣ内の各端末２０（ＵＥ♯０、ＵＥ♯１、ＵＥ♯２）に伝送する。
【０１３９】
それから、生成部２２は、セルＣへの初期接続によって基地局装置１０から自身が伝送しなければならないチャネル状態情報の個数が確認される場合、段階‘Ｓ３２’及び段階‘Ｓ３３’によって、確認されたチャネル状態情報の個数に該当する２以上のチャネル状態情報を生成する。
【０１４０】
このとき、生成部２２は、セル内に存在する多数の無線チャネルそれぞれに対する品質を測定し、品質測定結果が良好な優先順位に従って、基地局装置１０で決定されたチャネル状態情報の個数分の２以上の無線チャネルを選別することにより、選別された２以上の無線チャネルそれぞれにかかるチャネル状態情報を生成する。
【０１４１】
ここで、チャネル状態情報それぞれには、各端末２０（ＵＥ♯０、ＵＥ♯１、ＵＥ♯２）で品質測定に利用した特定プリコード化マトリクスにかかるプリコード化マトリクス指標（ＰＭＩ，Precoding Matrix Index）と、該当品質測定結果にかかるチャネル品質指標（ＣＱＩ，Channel Quality Indicator）、そしてランク指標（ＲＩ，Rank Indicator）が含まれ得る。
【０１４２】
以後、伝送部２３は、基地局装置２０で決定されたチャネル状態情報の個数に応じて２以上のチャネル状態情報の生成が完了すると、段階‘Ｓ３４’によって、生成された２以上のチャネル状態情報を基地局装置１０に伝送してスケジューリングに利用できるようにする。
【０１４３】
これに関して、伝送部２３は、例えば、アップリンク制御チャネル（PUCCH，Physical Uplink Control Channel）又はアップリンク共有チャネル（PUSCH，Physical Uplink Shared Channel）を通して２以上のチャネル状態情報を基地局装置１０に伝送することができる。
【０１４４】
これに関して、基地局装置１０は、セルＣ内の各端末２０（ＵＥ♯０、ＵＥ♯１、ＵＥ♯２）から２以上のチャネル状態情報が受信される場合、各端末２０（ＵＥ♯０、ＵＥ♯１、ＵＥ♯２）から受信された２以上のチャネル状態情報を互いに比較して、互いに同一のチャネル品質指標が受信された端末をグループ化して端末グループを生成する。
【０１４５】
このとき、基地局装置１０は、各端末２０（ＵＥ♯０、ＵＥ♯１、ＵＥ♯２）から受信された２以上のチャネル状態情報間のプリコード化マトリクス指標の値とチャネル品質指標の値の対を互いに比較して、プリコード化マトリクス指標の値とチャネル品質指標の値の対が互いに同一の端末を、同一の無線チャネル（周波数及び時間資源）を割当てるための端末グループにグループ化することができる。
【０１４６】
結局、基地局装置１０は、チャネル品質指標内のプリコード化マトリクス指標の値とチャネル品質指標の値が同一の端末をグループ化した端末グループの生成が完了すると、生成された端末グループに属する各端末に対して同一の周波数資源を割当て、割当てられた周波数資源を通してダウンリンクデータを同時に伝送できるようにスケジューリングすることができる。
【０１４７】
以上で説明したように、本発明の一実施例による無線チャネル割当システム、基地局装置１０及び端末２０（ＵＥ＃０）での動作の流れによると、セルＣ内の端末２０（ＵＥ♯０、ＵＥ♯１、ＵＥ♯２）のうち同一のチャネル状態情報（ＣＳＩ，Channel State Information）が受信される端末を端末グループにグループ化して同一の無線チャネル（周波数及び時間資源）を重畳割当てする無線環境で、各端末２０（ＵＥ♯０、ＵＥ♯１、ＵＥ♯２）から受信されるチャネル状態情報の個数を２以上に決定して、チャネル状態情報の個数が一つに決定された場合よりも多い数の端末を端末グループにグループ化することができるため、セル内の同一の無線チャネル（周波数資源）の割当てが可能な端末数が増加してセル内の周波数効率を大きく向上させることができる。
【０１４８】
一方、ここに提示された実施例に関連して説明された方法又はアルゴリズムの段階は、ハードウェアで直接具現されるか、多様なコンピュータ手段を通して遂行可能なプログラム命令形態で具現されてコンピュータ読取可能媒体に記録されることができる。上記コンピュータ読取可能媒体は、プログラム命令、データファイル、データ構造などを単独で又は組み合わせて含むことができる。上記媒体に記録されるプログラム命令は、本発明のために特別に設計され構成されたものであるか、コンピュータソフトウェア当業者に公知となっていて使用可能なものであり得る。コンピュータ読取可能記録媒体の例には、ハードディスク、フロッピーディスク及び磁気テープのような磁気媒体（magnetic media）、ＣＤ−ＲＯＭ、ＤＶＤのような光記録媒体（optical media）、フロプティカルディスク（floptical disk）のような光磁気媒体（magneto-optical media）、及びＲＯＭ、ＲＡＭ、フラッシュメモリなどのようなプログラム命令を保存して遂行するように特別に構成されたハードウェア装置が含まれる。プログラム命令の例には、コンパイラによって作られるもののような機械語コードだけでなくインタプリタなどを使ってコンピュータによって実行されることができる高級言語コードを含む。上記のハードウェア装置は、本発明の動作を遂行するために一つ以上のソフトウェアモジュールとして作動するように構成されることができ、その逆も同様である。
【０１４９】
以上、本発明を望ましい実施例を参照して詳しく説明したが、本発明が上記の実施例に限定されるものではなく、以下の特許請求の範囲で請求する本発明の要旨を逸脱しない範囲で本発明の属する技術分野において通常の知識を有する者ならば誰でも多様な変形又は修正が可能な範囲まで本発明の技術的思想が及ぶと言える。
【図１】
2018535567.tif 000004
【図２】
2018535567.tif 000005
【図３】
2018535567.tif 000006
【図４】
2018535567.tif 000007
【図５】
2018535567.tif 000008
【図６】
2018535567.tif 000009
【図７】
2018535567.tif 000010
【図８】
2018535567.tif 000011
【国際調査報告】
2018535567.tif 000012
2018535567.tif 000013
2018535567.tif 000014
2018535567.tif 000015